(57)【要約】【課題】  従来のペンなどや、その他のもののふたは、ふたがペンなどにきっちりとつき、とりにくくなっていた。【解決手段】  ふたやふたなどに、手や指の力がはいりやすくするために、ふたなどに、凹凸をつけたり、その他のものや、その他のすべりどめのやくわりのあるものや、手や指の力がはいりやすくしたものや、ゴム製などのすべりどめをつけるようにして、ふたをとりやすくした。【選択図】    図１
2006088679.tif 000002
【特許請求の範囲】
【請求項１】
さまざまな、おおきさや、形などの、水性や油性などや、その他のものなどの、ボ−ルペンについて、ボ−ルペンのふたに、さまざまな、おおきさや、形の、ざらざらしたようなものや、おうとつや、凹凸のようなものや、その他のものを、つけたりや、ゴム製や、その他のものによって、ふたに、すべりどめのためや、などのために、つけるようにして、ボ−ルペンのふたを、とりやすくしたりや、又、つけやすくしたもの。又、方法としても、利用できるようにした。
【請求項２】
さまざまな、おおきさや、形などの、水性や油性などや、その他のものなどの、ペンのふたについて、ペンのふたに、さまざまな、おおきさや、形の、ざらざらしたようなものや、おうとつや、凹凸のようなものや、その他のものを、つけたりや、ゴム製や、その他のものによって、ふたに、すべりどめのためや、などのためにつけるようにして、ペンのふたを、とりやすくしたりや、又、つけやすくしたもの。又、方法としても、利用できるようにした。
【請求項３】
さまざまな、おおきさや、形などの、水性や油性などの、その他のものなどの、さまざまな、目的や用途などにより、利用される、マジックペンや筆ペンやふたのついた、シャ−プペンシルなど、さまざまな、目的や用途などに、利用される、ペンやにたようなもののふたに、さまざまな、おおきさや、形や、ざらざらしたようなものや、おうとつや、凹凸のようなものや、その他のものを、つけたりや、ゴム製や、その他のものによって、ふたに、すべりどめのためや、などのためにつけるようにして、ペンのふたを、とりやすくしたりや、又、つけやすくしたもの。又、方法としても、利用できるようにした。
【請求項４】
鉛筆やその他に、利用される、鉛筆であれば、芯などを、保護するために、使用される、ふたやその他の目的や用途に使用される、ふたについても、さまざまな、おおきさや、形や、ざらざらしたようなものや、おうとつや、凹凸のようなものや、その他のものを、つけたり、ゴム製や、その他のものによって、ふたに、すべりどめのためや、などのためにつけるようにして、上記のふたを、とりやすくしたりや、又、つけやすくしたもの。又、方法としても、利用できるようにした。つけたりや、
【請求項５】
さまざまに、利用される、文房具などについて、ペンなどや、ペンのような、形をした、修正液用のペンなど、さまざまに、利用されるものや、家庭用や商業用や工業用などやその他に利用され、使用などされている、産業用に利用される、ふたのついたものについてなどや、その他の目的や用途に利用される、ふたについても、さまざまな、おおきさや、形や、ざらざらしたようなものや、おうとつや、凹凸のようなものや、その他のものを、つけたり、ゴム製や、その他のものによって、ふたに、すべりどめのためや、などのためにつけるようにして、ふたを、とりやすくしたり、又、つけやすくしたもの。又、方法としても、利用できるようにした。
【発明の詳細な説明】
【技術分野】
【０００１】  本発明は、さまざまな、おおきさや、形などの、ペンやその他のものの、ふたについて、に関する。
【背景技術】
【０００２】  従来の、ペンのふたは、ふたをねじってつまみあげるものだけが利用され、とりやすくするため、すべて、縦の線のような、表面にもりあがり、うきでたようなものや、デザインとして、横の線のように、表面にもりあがりうきでたものや、すじのように、へこんだものや、縦の線のように、すじのようにへこんだものやもりあがりうきでたものがあったが、手軽に上の方へ指でひっぱり、手軽にふたが、とれるようなものきは、つくり、利用等がされてこなかった。【０００３】  以下、図３図４により、従来のペンのふたやそのようなものなどを、せつめいする。【０００４】
【特許文献１】
【非特許文献】
【発明の開示】
【発明が解決しようとしている課題】
【０００５】  以上に述べた、従来のペンなどのふたは、ねじって取るように、縦の線のようなものしかつけられてこなかっり、とくべつにつけられていなかった。しかし、現代のペンなどのふたは、インクの乾燥を防ぐためなどにより、また、技術の進歩にともない、気密性がたかいものとなっており、ふたのついた、ボ−ルペンなどは、とりづらいものとなってきていたり、なっている。
【０００６】  本発明は、このような、従来の構成が有していた問題を解決しようとしたものであり、ペンなどの、ふたに、表面にざらざらとした、おうとつのあるまるいような感覚のものなどや、表面にゴム製などのすべることをしにくくするものなどにより、表面につけることなどにより、すべりどめのついたふたの、ものを、実現することを、目的とするものです。
【課題を解決するための手段】
【０００７】  そして、本発明は、上記目的を達成するために、ペンなどや、その他のもののふたに、表面などに、ざらざらとした、おうとつのある、まるいものや、線のようなかんじの形になった、もので、表面にうきでたものや、みぞのようにへこましたようなものや、表面にゴム製のものをつけて、すべりにくくしたものなどをつけて、新しい、すべりにくくして、とりやすく、つけやすい、ふたをつくり、利用できるようにする。又、凹凸やざらざらしたものや、その他のすべりどめのためや、力がはいりやすくなどの、ための、凹凸やなどや、ゴム製などの、すべりどめや、力がはいりやすくしたものなどのものは、さまざまな、おおきさや、形や色などにできるようにした。
【発明の効果】
【０００８】  上述のように、本発明のペンなどや、その他のふたについて、従来のボ−ルペンなどの、ふたが、とりやすくなり、又、つけやすくなり、使用しやすいものが、新しくつくり、利用されるようになる。
【発明を実施するための最良の形態】
【０００９】  本発明は、ペンなどや、その他のものの、ふたについて、従来のボ−ルペンなどのふたに、すべりどめのようなものがつくようになり、つかいがってのいいものとなり、したがって、従来より、使用されている、ふたと同じように、利用や使用ができるようにする。
【産業上の利用可能性】
【００１０】  上述したように、本発明のふたは、新しい感覚のふたのものが、利用され使用されることにより、使ううえで、使用されることになり、従来のボ−ルペンなどが、より利用や使用などがしやすくなり、社会生活などに大きくやくだつものとなった。
【図面の簡単な説明】
【００１２】
【図１】  本発明の平面図
【図２】  本発明の平面図
【図３】  従来の図
【図４】  従来の図
【符号の説明】
【００１３】１発明したものがついたふた
２ボ−ルペン
３発明したものがついたふた
４ボ−ルペン
【図１】
2006088679.tif 000003
【図２】
2006088679.tif 000004
【手続補正書】
【提出日】平成16年11月16日(2004.11.16)
【手続補正１】
【補正対象書類名】明細書
【補正対象項目名】００１２
【補正方法】変更
【補正の内容】
【００１２】
【図１】  本発明の平面図
【図２】  本発明の平面図